(57)【要約】      （修正有）【課題】火のついている線香を安全に保持するためには灰の中深くまで刺し込まなければならないが、浅く立てた場合でも線香が倒れない補助具を提供する。【解決手段】線香立ての中に挿入した際、上部「支え部」と下部「受け部」と挿入した灰の量の上部分量の「保持部」による３部位構成による補助具を設置する。【選択図】なし【特許請求の範囲】
【請求項１】
日本国内の信仰宗教は仏教が大半を占めている。その仏教の中にも各宗派があり各家庭では所属する菩提寺の宗派の檀徒信仰者となるのである。その家庭には仏故者を慰霊するための仏壇が設置され、先祖より受け継がれた仏故者の位牌が置かれているため、日々礼拝し慰霊するのである。その際、使用されるのが線香である。この仏壇内には礼拝時に欠かせない「物」として線香立てが置かれている。日々の礼拝時及び仏事の際の礼拝時には必要不可欠なのが線香立てである。又この線香立ては線香を刺し立てる際、必要な灰を挿入するための一つの容器である。
【請求項２】
本発明はこの線香立てに付属するものである。本来線香立ては丸型のものが大半であるが、お寺葬祭場等では角型の物も使用されている。この線香立て内部には線香刺し立て用の特殊な灰が挿入され使用されている。日々の礼拝時及び仏事の際はこの灰の中に線香を刺し立てて礼拝するのである。この際線香を浅く刺し立てると倒れる可能性もあり、火災発生の原因ともなりかねないのである。又深く刺し立てると線香の燃え残りが多くなり、次回線香を刺し立てる際に不具合が生じるため、この状態を解消するために線香刺し立て倒れ防止補助具を制作し、線香立て内部の灰の中に挿入し使用することにより、刺し立てた線香が最後まで燃え尽き、残存することがなくなるのである。
※以下補助具と記述する
【請求項３】
本補助具は耐熱性に優れた金属を使用し製作する。形状としては従来より使用されている丸型の線香立てを基本として、その内部に収まるように製作する。形状としては線香を刺し立てた際、上部位を支え、下部位を定着部として上部と下部との間隔を取り、２段仕様として３本の足を付則して固定する。又上部を支える部分の形状は網目状に作り、丸縁枠にて固定する。その際の網目の大きさは線香の太さよりも少し大きめに作る。下部定着部位の形状は上部位形状と同一に作るが、網目の大きさは線香よりも少し小さめに作ることにより、線香を刺し立てた際に線香が一定に定着するのである。又本補助具は線香立て内部上面より低めに製作し、灰の中に挿入する。その際、灰の量は下部定着部の網目部より高くなるよう調整し挿入し、使用することにより本補助具の「支えと受け」の利用効果が立証できるのである。
【請求項４】
今後別途線香立てを新規に製作した際の形状は丸型でも角型でもどちらでもよい。線香立て外部側面には仏教信者各宗派による宗紋、仏紋模様又取手等の付則も可能である。又本線香立て本体そのものの美形を形成するための創意工夫による造形は大いに歓迎するものである。本補助具の使用に際し従来より使用されている線香立ては数種類の形状があり本補助具が使用不可能な線香立てもあるため、本発明補助具は新規に製作した線香立てとの併用が一番望ましいのであるため、ここに改めて線香刺し倒れ防止補助具を提供するものである。
【請求項５】
本発明線香刺し立て倒れ防止補助具は礼拝時に刺し立てた線香が最後まで倒れず燃え尽き、灰の中に線香の残存がなくなることを最大の効果目的として考案したものである。
又下部受け部分に残存した燃え残りの線香は補助具を取り出した際灰をふるい落とし廃棄すればよいのである。本補助具は線香の刺し立て倒れ防止と燃え残りの線香の廃棄処分の利便性を兼ね添えた補助具を提供するものである。
【発明の詳細な説明】
【技術分野】
【０００１】本発明は日本国内仏教信者の各家庭内に設置された仏壇内に常備されている線香立てに係るものである。日々の礼拝や仏事の際、欠かすことのできないのが線香立てである。この線香立ての灰の中に線香の倒れ防止機能を付した補助具を挿入し、使用することにより礼拝時等の安全が保てる機能を付した線香刺し立て倒れ防止補助具を提供するものである。
【背景技術】
【０００２】従来より線香立ては内部に刺し立て用の灰を保留し、一体化されている。礼拝時などの時、その灰の中に火をつけた線香を刺し立てて燃え尽きるまで、そのままの状態で礼拝を済ませるのであるが、線香は灰のみで支えられ保持されているため、万が一浅く刺し立てた場合、線香が倒れ火災の原因にもなりかねないのである。そのため本発明の補助具を使用し礼拝することにより、安心と安全が保たれ、本発明本来の目的が達成できるのである。
【発明の開示】
【発明が解決しようとする課題】
【０００３】従来、線香は刺し立てる際、線香立て内部に挿入された灰のみで保持されているのである。火のついている線香を安全に保持するためには灰の中深くまで刺し込まなければならないのである。度重ねる礼拝の回数により、線香の残存量が多くなるため、次回の礼拝時の線香の刺し立てがしにくくなるため、浅く立てた場合、火のついたままの線香が倒れる場合もある。それを解消すべく本補助具を提供するものである。
【課題を解決するための手段】
【０００４】本発明による２段仕様の補助具は線香立ての中に挿入した際、上部「支え部」と下部「受け部」と挿入した灰の量の上部分量の「保持部」による３部位構成による本補助具の利用効果が立証できるのである。
【発明の効果】
【０００５】本発明による補助具は従来より使用されている線香立て内部上面より少し低めに製作してあるため、後日新規に線香立てを製作した場合でも本補助具も使用できるため、刺し立てた線香の安全保持と灰の中の残存量の軽減ができるため、本発明の効果が立証でき、又提供することができるのが本補助具の最大の利点である。
【発明を実施するための最良の形態】
【０００６】従来より礼拝時に刺し立てた線香は線香立て内部に保留されている灰のみで保持されている。線香が灰の中に刺し立てた状態を見る限りでは火のついたままで倒れる可能性が感じられるのである。礼拝回数の多い時点での線香の燃え残りの残存量により深く刺し立てられた場合でも、本補助具の使用形態が図面及び説明等によりその効果が立証できるのである。又、後日新規に製作した線香立て外部側面には各宗派別による宗紋、仏紋模様又は取手等の付則も可能であり、従来の日本国仏教本来の姿・形態が伝承保持することができるのである。又本補助具を灰の中に挿入した際容器を叩く等して保留されている灰に衝撃を与えることにより灰の密着度が増して線香保持部の灰の保持能力がより強力になるのである。
【図面の簡単な説明】
【０００７】
【図１】
2016077837.tif 000002
【図２】
2016077837.tif 000003
【図３】
2016077837.tif 000004
【図４】
2016077837.tif 000005
【図５】
2016077837.tif 000006
【符号の説明】
【０００８】〔図１〕  線香刺し立て倒れ防止補助具斜視図
１．枠縁
２．上部網目支え部
３．下部網目定着部
４．固定足
〔図２〕  線香立て容器本体斜視図
１．容器本体
２．容器足
３．挿入灰
〔図３〕  従来より使用されている状態の線香立て断面図
１．容器本体
２．容器足
３．挿入灰
４．刺し立てた線香
〔図４〕  線香刺し立て倒れ防止補助具使用状態による線香立て断面図
１．容器本体
２．容器足
３．挿入灰
４．補助具上部支え部
５．補助具下部定着部
６．補助具固定足
７．刺し立てた線香
８．保持部
〔図５〕  新規製作形状による線香立て容器本体斜視図
１．容器本体
２．容器足
３．取手
４．家紋・宗紋
５．挿入灰
【手続補正書】
【提出日】平成27年1月5日(2015.1.5)
【手続補正２】
【補正対象書類名】明細書
【補正対象項目名】０００７
【補正方法】変更
【補正の内容】
【０００７】
【図１】  補助具  斜視図
【図１−Ａ】  補助具  正面図、側面図及び背面図は同一に現われるため省略する。
【図１−Ｂ】  補助具  平面図
【図１−Ｃ】  補助具  底面図
【図２】  線香立て容器  斜視図  ※従来より使用されている線香立ては色々と数多くの種類が存在するため本図面は参考図とする。
【図３】  従来より使用されている線香立て（参考図）に線香を刺し立て使用した状態を示すＡ−Ａ断面図  ※この線香立てを使用する場合、大量の線香刺し立て用の灰を挿入し使用する。
【図４】  線香刺し立て倒れ防止補助具を使用した状態を示す線香立てａ−ａ断面図  ※この補助具を使用した時点での線香刺し立て用の灰の量は少量で済むのである。
【図５】  後日新規製作による線香立て容器  斜視図  ※この場合には創意工夫による美形の造形が可能である。
【手続補正３】
【補正対象書類名】図面
【補正対象項目名】全図
【補正方法】追加
【補正の内容】
【図１】
2016077837.tif 000007
【図１−Ａ】
2016077837.tif 000008
【図１−Ｂ】
2016077837.tif 000009
【図１−Ｃ】
2016077837.tif 000010
【図２】
2016077837.tif 000011
【図３】
2016077837.tif 000012
【図４】
2016077837.tif 000013
【図５】
2016077837.tif 000014